(57)【要約】【課題】筐体の外観を損ねることがなく、且つ、筐体を容易に分解することができる筐体構造を提供する。【解決手段】筐体８と、筐体８の外部に露出するように設けられ、且つ、ユーザによって特定の方向に操作されるＵＳＢコネクタ１８と、を備え、筐体８は、ボトムケース１０と、ボトムケース１０と相互にロック可能なトップケース１２と、を有し、ボトムケース１０とトップケース１２とのロックは、ＵＳＢコネクタ１８が特定の方向とは異なる方向に操作されることにより、解除される。【選択図】図４
2014203969.tif 000002
【特許請求の範囲】
【請求項１】
筐体と、
前記筐体の外部に露出するように設けられ、且つ、ユーザによって特定の方向に操作される操作部材と、を備え、
前記筐体は、
第１の筐体部と、
前記第１の筐体部と相互にロック可能な第２の筐体部と、を有し、
前記第１の筐体部と前記第２の筐体部とのロックは、前記操作部材が前記特定の方向とは異なる方向に操作されることにより、解除される
筐体構造。
【請求項２】
前記第１の筐体部は、前記第２の筐体部の一部に引っ掛かり可能な第１のフック部を有しており、
前記第１の筐体部及び前記第２の筐体部は、前記第１のフック部が前記第２の筐体部の一部に引っ掛かることにより、相互にロックされ、
前記第１の筐体部と前記第２の筐体部とのロックは、前記操作部材が前記特定の方向とは異なる方向に操作された際に、前記第１のフック部が前記第２の筐体部の一部から外れることにより、解除される
請求項１に記載の筐体構造。
【請求項３】
さらに、前記筐体の内部に収納された配線基板を備え、
前記操作部材は、前記配線基板に取り付けられ、且つ、前記ユーザによってプラグが差し込まれる方向である前記特定の方向に操作されるコネクタであり、
前記配線基板は、前記プラグの差し込まれた前記コネクタが前記特定の方向とは異なる方向に操作された際に、前記第１のフック部が前記第２の筐体部の一部から外れるように、前記第１のフック部を押圧する
請求項２に記載の筐体構造。
【請求項４】
前記第２の筐体部は、前記配線基板の端部に引っ掛かり可能な第２のフック部を有しており、
前記第１の筐体部及び前記第２の筐体部は、前記第１のフック部が前記第２の筐体部の一部に引っ掛かり、且つ、前記第２のフック部が前記配線基板の前記端部に引っ掛かることにより、相互にロックされ、
前記第１の筐体部と前記第２の筐体部とのロックは、前記操作部材が前記特定の方向とは異なる方向に操作された際に、前記第１のフック部が前記第２の筐体部の一部から外れ且つ前記第２のフック部が前記配線基板の前記端部から外れることにより、解除される
請求項３に記載の筐体構造。
【請求項５】
さらに、前記コネクタが前記特定の方向とは異なる方向に操作されるのを規制する操作規制部材を備える
請求項３又は４に記載の筐体構造。
【請求項６】
前記操作規制部材は、前記コネクタに取り付けられ、且つ、前記筐体の一部に引っ掛かり可能なコネクタカバーであり、
前記コネクタカバーは、前記プラグが前記コネクタに差し込まれた際に、前記プラグの一部によって押圧されることにより、前記筐体の一部から外れるように構成されており、
前記コネクタは、
前記コネクタカバーが前記筐体の一部に引っ掛かっている際には、前記特定の方向とは異なる方向に操作されるのが規制され、
前記コネクタカバーが前記筐体の一部から外れた際には、前記特定の方向とは異なる方向に操作可能となる
請求項５に記載の筐体構造。
【請求項７】
前記操作規制部材は、前記筐体の外部に露出するように設けられ、且つ、第１の位置と第２の位置との間をスライド可能なスライドスイッチであり、
前記コネクタは、
前記スライドスイッチが前記第１の位置及び前記第２の位置に位置している際には、前記スライドスイッチの一部が前記配線基板に接触することにより、前記特定の方向とは異なる方向に操作されるのが規制され、
前記スライドスイッチが前記第１の位置と前記第２の位置との間の第３の位置に位置している際には、前記スライドスイッチの一部が前記配線基板から外れることにより、前記特定の方向とは異なる方向に操作可能となる
請求項５に記載の筐体構造。
【請求項８】
前記操作規制部材は、前記筐体の外部に露出するように設けられた押圧スイッチであり、
前記コネクタは、
前記押圧スイッチが押圧されていない際には、前記押圧スイッチの一部が前記配線基板に接触することにより、前記特定の方向とは異なる方向に操作されるのが規制され、
前記押圧スイッチが押圧された際には、前記押圧スイッチの一部が前記配線基板から外れることにより、前記特定の方向とは異なる方向に操作可能となる
請求項５に記載の筐体構造。
【請求項９】
前記操作部材は、前記ユーザによって前記特定の方向に操作されるスライドスイッチであり、
前記スライドスイッチは、前記特定の方向とは異なる方向に操作された際に、前記第１のフック部が前記第２の筐体部の一部から外れるように、前記第１のフック部を押圧する
請求項２に記載の筐体構造。
【請求項１０】
前記スライドスイッチは、前記特定の方向において第１の位置と第２の位置との間をスライド可能であり、
前記スライドスイッチは、
前記第１の位置及び前記第２の位置に位置している際には、その一部が前記配線基板に接触することにより、前記特定の方向とは異なる方向への操作が規制され、
前記第１の位置と前記第２の位置との間の第３の位置に位置している際には、その一部が前記配線基板から外れることにより、前記特定の方向とは異なる方向に操作可能となる
請求項９に記載の筐体構造。
【発明の詳細な説明】
【技術分野】
【０００１】
本発明は、分解可能な筐体を有する筐体構造に関する。
【背景技術】
【０００２】
例えば電子機器等には、配線基板等を収納するための筐体が設けられている。この筐体は、第１の筐体部と第２の筐体部とが相互に組み合わされることにより構成されている（例えば、特許文献１参照）。第１の筐体部及び第２の筐体部は、例えばネジ止め、溶着、フック固定及び圧入固定等によって相互に固定されている。
【先行技術文献】
【特許文献】
【０００３】
【特許文献１】特開２００８−１３０７５８号公報
【発明の概要】
【発明が解決しようとする課題】
【０００４】
しかしながら、上述した従来の筐体構造では、次のような課題が生じる。例えば、電子機器等の製造工程において、メーカの作業者等が筐体の内部に収納された配線基板等の検査を行うために、筐体を分解することがある。このとき、第１の筐体部及び第２の筐体部がネジ止めによって相互に固定されている場合には、筐体を容易に分解することができるが、その一方で、ネジの頭部が筐体の外部に露出するため筐体の外観を損ねるという課題が生じる。さらに、ユーザが勝手に筐体を分解してしまうおそれもある。
【０００５】
また、第１の筐体部及び第２の筐体部が溶着、フック固定及び圧入固定によって相互に固定されている場合には、筐体の外観を損ねることがないが、その一方で、筐体を容易に分解することができないという課題が生じる。
【０００６】
本発明は、上述した課題を解決しようとするものであり、その目的は、筐体の外観を損ねることがなく、且つ、筐体を容易に分解することができる筐体構造を提供することである。
【課題を解決するための手段】
【０００７】
上記目的を達成するために、本発明の一態様に係る筐体構造は、筐体と、前記筐体の外部に露出するように設けられ、且つ、ユーザによって特定の方向に操作される操作部材と、を備え、前記筐体は、第１の筐体部と、前記第１の筐体部と相互にロック可能な第２の筐体部と、を有し、前記第１の筐体部と前記第２の筐体部とのロックは、前記操作部材が前記特定の方向とは異なる方向に操作されることにより、解除される。
【０００８】
本態様によれば、第１の筐体部と第２の筐体部とのロックは、操作部材が特定の方向とは異なる方向に操作されることにより解除されるので、筐体を容易に分解することができる。さらに、第１の筐体部と第２の筐体部とのロックにネジ止めを使用しないので、ネジの頭部が筐体の外観に露出されることがない。これにより、筐体の外観を損ねることがない。
【０００９】
例えば、本発明の一態様に係る筐体構造において、前記第１の筐体部は、前記第２の筐体部の一部に引っ掛かり可能な第１のフック部を有しており、前記第１の筐体部及び前記第２の筐体部は、前記第１のフック部が前記第２の筐体部の一部に引っ掛かることにより、相互にロックされ、前記第１の筐体部と前記第２の筐体部とのロックは、前記操作部材が前記特定の方向とは異なる方向に操作された際に、前記第１のフック部が前記第２の筐体部の一部から外れることにより、解除されるように構成してもよい。
【００１０】
本態様によれば、第１の筐体部は、第２の筐体部の一部に引っ掛かり可能な第１のフック部を有しているので、第１のフック部が第２の筐体部の一部に引っ掛かることにより、第１の筐体部及び第２の筐体部を相互にロックすることができる。また、操作部材が特定の方向とは異なる方向に操作された際に、第１のフック部が第２の筐体部の一部から外れることにより、第１の筐体部と第２の筐体部とのロックを解除することができる。
【００１１】
例えば、本発明の一態様に係る筐体構造において、さらに、前記筐体の内部に収納された配線基板を備え、前記操作部材は、前記配線基板に取り付けられ、且つ、前記ユーザによってプラグが差し込まれる方向である前記特定の方向に操作されるコネクタであり、前記配線基板は、前記プラグの差し込まれた前記コネクタが前記特定の方向とは異なる方向に操作された際に、前記第１のフック部が前記第２の筐体部の一部から外れるように、前記第１のフック部を押圧するように構成してもよい。
【００１２】
本態様によれば、配線基板は、プラグの差し込まれたコネクタが特定の方向とは異なる方向に操作された際に、第１のフック部が第２の筐体部の一部から外れるように、第１のフック部を押圧する。これにより、第１の筐体部と第２の筐体部とのロックを解除することができる。
【００１３】
例えば、本発明の一態様に係る筐体構造において、前記第２の筐体部は、前記配線基板の端部に引っ掛かり可能な第２のフック部を有しており、前記第１の筐体部及び前記第２の筐体部は、前記第１のフック部が前記第２の筐体部の一部に引っ掛かり、且つ、前記第２のフック部が前記配線基板の前記端部に引っ掛かることにより、相互にロックされ、前記第１の筐体部と前記第２の筐体部とのロックは、前記操作部材が前記特定の方向とは異なる方向に操作された際に、前記第１のフック部が前記第２の筐体部の一部から外れ且つ前記第２のフック部が前記配線基板の前記端部から外れることにより、解除されるように構成してもよい。
【００１４】
本態様によれば、第１の筐体部及び第２の筐体部は、第１のフック部が第２の筐体部の一部に引っ掛かり、且つ、第２のフック部が配線基板の端部に引っ掛かることにより、相互にロックされる。これにより、第１の筐体部及び第２の筐体部を相互により確実にロックすることができる。
【００１５】
例えば、本発明の一態様に係る筐体構造において、さらに、前記コネクタが前記特定の方向とは異なる方向に操作されるのを規制する操作規制部材を備えるように構成してもよい。
【００１６】
本態様によれば、操作規制部材によりコネクタが特定の方向とは異なる方向に操作されるのが規制されるので、ユーザが勝手に筐体を分解してしまうのを抑制することができる。
【００１７】
例えば、本発明の一態様に係る筐体構造において、前記操作規制部材は、前記コネクタに取り付けられ、且つ、前記筐体の一部に引っ掛かり可能なコネクタカバーであり、前記コネクタカバーは、前記プラグが前記コネクタに差し込まれた際に、前記プラグの一部によって押圧されることにより、前記筐体の一部から外れるように構成されており、前記コネクタは、前記コネクタカバーが前記筐体の一部に引っ掛かっている際には、前記特定の方向とは異なる方向に操作されるのが規制され、前記コネクタカバーが前記筐体の一部から外れた際には、前記特定の方向とは異なる方向に操作可能となるように構成してもよい。
【００１８】
本態様によれば、操作規制部材をコネクタカバーで構成することができる。
【００１９】
例えば、本発明の一態様に係る筐体構造において、前記操作規制部材は、前記筐体の外部に露出するように設けられ、且つ、第１の位置と第２の位置との間をスライド可能なスライドスイッチであり、前記コネクタは、前記スライドスイッチが前記第１の位置及び前記第２の位置に位置している際には、前記スライドスイッチの一部が前記配線基板に接触することにより、前記特定の方向とは異なる方向に操作されるのが規制され、前記スライドスイッチが前記第１の位置と前記第２の位置との間の第３の位置に位置している際には、前記スライドスイッチの一部が前記配線基板から外れることにより、前記特定の方向とは異なる方向に操作可能となるように構成してもよい。
【００２０】
本態様によれば、操作規制部材をスライドスイッチで構成することができる。
【００２１】
例えば、本発明の一態様に係る筐体構造において、前記操作規制部材は、前記筐体の外部に露出するように設けられた押圧スイッチであり、前記コネクタは、前記押圧スイッチが押圧されていない際には、前記押圧スイッチの一部が前記配線基板に接触することにより、前記特定の方向とは異なる方向に操作されるのが規制され、前記押圧スイッチが押圧された際には、前記押圧スイッチの一部が前記配線基板から外れることにより、前記特定の方向とは異なる方向に操作可能となるように構成してもよい。
【００２２】
本態様によれば、操作規制部材を押圧スイッチで構成することができる。
【００２３】
例えば、本発明の一態様に係る筐体構造において、前記操作部材は、前記ユーザによって前記特定の方向に操作されるスライドスイッチであり、前記スライドスイッチは、前記特定の方向とは異なる方向に操作された際に、前記第１のフック部が前記第２の筐体部の一部から外れるように、前記第１のフック部を押圧するように構成してもよい。
【００２４】
本態様によれば、スライドスイッチが特定の方向とは異なる方向に操作された際に、スライドスイッチは、第１のフック部が第２の筐体部の一部から外れるように、第１のフック部を押圧する。これにより、第１の筐体部と第２の筐体部とのロックを解除することができる。
【００２５】
例えば、本発明の一態様に係る筐体構造において、前記スライドスイッチは、前記特定の方向において第１の位置と第２の位置との間をスライド可能であり、前記スライドスイッチは、前記第１の位置及び前記第２の位置に位置している際には、その一部が前記配線基板に接触することにより、前記特定の方向とは異なる方向への操作が規制され、前記第１の位置と前記第２の位置との間の第３の位置に位置している際には、その一部が前記配線基板から外れることにより、前記特定の方向とは異なる方向に操作可能となるように構成してもよい。
【００２６】
本態様によれば、スライドスイッチが第１の位置及び第２の位置に位置している際には、スライドスイッチの特定の方向とは異なる方向への操作が規制されるので、ユーザが勝手に筐体を分解してしまうのを抑制することができる。
【発明の効果】
【００２７】
本発明の一態様に係る筐体構造によれば、筐体の外観を損ねることがなく、且つ、筐体を容易に分解することができる。
【図面の簡単な説明】
【００２８】
【図１】実施の形態１に係る筐体構造を備えた電子機器を示す斜視図である。
【図２】図１の筐体を分解した状態を示す斜視図である。
【図３】図１の筐体を分解した状態を示す斜視図である。
【図４】図１中のＡ−Ａ線により切断した電子機器の断面図である。
【図５】図１中のＢ−Ｂ線により切断した電子機器の要部断面図である。
【図６Ａ】プラグをＵＳＢコネクタに差し込む前の状態を示す電子機器の要部分解斜視図である。
【図６Ｂ】図６Ａの電子機器の一部を拡大して示す平面図である。
【図７Ａ】プラグをＵＳＢコネクタに差し込んだ後の状態を示す電子機器の要部分解斜視図である。
【図７Ｂ】図７Ａの電子機器の一部を拡大して示す平面図である。
【図８Ａ】配線基板をボトムケースに組み付ける手順を説明するための断面図である。
【図８Ｂ】配線基板をボトムケースに組み付ける手順を説明するための断面図である。
【図８Ｃ】配線基板をボトムケースに組み付ける手順を説明するための断面図である。
【図８Ｄ】配線基板をボトムケースに組み付ける手順を説明するための断面図である。
【図８Ｅ】ボトムケース及びトップケースを相互にロックする手順を説明するための断面図である。
【図８Ｆ】ボトムケース及びトップケースを相互にロックする手順を説明するための断面図である。
【図９Ａ】ボトムケースとトップケースとのロックを解除する手順を説明するための断面図である。
【図９Ｂ】ボトムケースとトップケースとのロックを解除する手順を説明するための断面図である。
【図１０】実施の形態２に係る筐体構造を備えた電子機器を示す斜視図である。
【図１１Ａ】図１０の電源スイッチが第１の位置に位置している状態での、電子機器の側面の一部を示す図である。
【図１１Ｂ】図１０の電源スイッチが第１の位置に位置している状態での、電源スイッチと配線基板との位置関係を示す要部斜視図である。
【図１２Ａ】図１０の電源スイッチが第２の位置に位置している状態での、電子機器の側面の一部を示す図である。
【図１２Ｂ】図１０の電源スイッチが第２の位置に位置している状態での、電源スイッチと配線基板との位置関係を示す要部斜視図である。
【図１３Ａ】図１０の電源スイッチが第３の位置に位置している状態での、電子機器の側面の一部を示す図である。
【図１３Ｂ】図１０の電源スイッチが第３の位置に位置している状態での、電源スイッチと配線基板との位置関係を示す要部斜視図である。
【図１４】実施の形態３に係る筐体構造を備えた電子機器を示す斜視図である。
【図１５Ａ】図１４のボリュームスイッチが押圧されていない状態での、電子機器の内部を示す要部斜視図である。
【図１５Ｂ】図１５Ａ中のＣ−Ｃ線により切断した電子機器の要部断面図である。
【図１６Ａ】図１４のボリュームスイッチが押圧された状態での、電子機器の内部を示す要部斜視図である。
【図１６Ｂ】図１６Ａ中のＤ−Ｄ線により切断した電子機器の要部断面図である。
【図１７】実施の形態４に係る筐体構造を備えた電子機器を示す斜視図である。
【図１８】図１７中のＥ−Ｅ線により切断した電子機器の断面図である。
【図１９】図１７中のＦ−Ｆ線により切断した電子機器の要部断面図である。
【図２０Ａ】電源スイッチが第１の位置に位置している状態での、電子機器の内部を示す要部平面図である。
【図２０Ｂ】電源スイッチが第２の位置に位置している状態での、電子機器の内部を示す要部平面図である。
【図２０Ｃ】電源スイッチが第３の位置に位置している状態での、電子機器の内部を示す要部平面図である。
【発明を実施するための形態】
【００２９】
以下、実施の形態に係る筐体構造について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態等は、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３０】
（実施の形態１）
［筐体構造の構成］
まず、図１〜図４を参照しながら、実施の形態１に係る筐体構造の構成について説明する。図１は、実施の形態１に係る筐体構造を備えた電子機器を示す斜視図である。図２及び図３はそれぞれ、図１の筐体を分解した状態を示す斜視図である。図４は、図１中のＡ−Ａ線により切断した電子機器の断面図である。
【００３１】
図１〜図４に示す電子機器２は、例えば、集音マイク４を備えたイヤホン装置（いわゆる、ヘッドセット）である。電子機器２の筐体構造６は、分割可能な筐体８を有している。筐体８は、ボトムケース１０（第１の筐体部を構成する）とトップケース１２（第２の筐体部を構成する）とが相互に組み合わされることにより、ケース状に構成されている。なお、筐体８は、例えば樹脂で形成されている。
【００３２】
筐体８の外部には、ユーザの耳に装着されるイヤーピース１４が取り付けられている。イヤーピース１４には、スピーカ１６が内蔵されている。
【００３３】
筐体８には、さらに、ＵＳＢ（Ｕｎｉｖｅｒｓａｌ  Ｓｅｒｉａｌ  Ｂａｓｓ）コネクタ１８（操作部材を構成する）、電源スイッチ２０及びボリュームスイッチ２２がそれぞれ筐体８の外部に露出されるようにして設けられている。
【００３４】
ＵＳＢコネクタ１８には、ＵＳＢケーブル２４のプラグ２６（後述する図６Ａ参照）が着脱可能に差し込まれる。ＵＳＢコネクタ１８にＵＳＢケーブル２４のプラグ２６を差し込むことにより、例えば電子機器２とパーソナルコンピュータ等（図示せず）とがＵＳＢケーブル２４を介して通信接続される。なお、本願明細書において、ＵＳＢコネクタ１８の操作とは、ユーザによってＵＳＢケーブル２４のプラグ２６がＵＳＢコネクタ１８に特定の方向（すなわち、図１中の矢印Ｐで示す方向）に差し込まれる操作をいう。上記特定の方向とは、プラグ２６がＵＳＢコネクタ１８に差し込まれる方向である。ＵＳＢコネクタ１８は、後述するように、上記特定の方向とは異なる方向（すなわち、図１中の矢印Ｑで示す方向）にも操作可能である。
【００３５】
ＵＳＢコネクタ１８には、当該ＵＳＢコネクタ１８を保護するためのコネクタカバー３８（操作規制部材を構成する）が取り付けられている（後述する図５参照）。コネクタカバー３８は、ユーザによってＵＳＢコネクタ１８が上記特定の方向とは異なる方向に操作されるのを規制する機能をも有している。コネクタカバー３８の当該機能については、後述する。
【００３６】
電源スイッチ２０は、電子機器２の主電源をオン又はオフするためのスライドスイッチである。ボリュームスイッチ２２は、スピーカ１６から出力される音のボリュームを調節するための押圧スイッチである。
【００３７】
図２〜図４に示すように、筐体８の内部には、配線基板２８が収納されている。この配線基板２８には、例えば電源回路等が実装されている。また、配線基板２８の一端部２８ａには、上述したＵＳＢコネクタ１８が取り付けられている。
【００３８】
次に、筐体８の構成について詳細に説明する。ボトムケース１０の内面には、上述した配線基板２８の裏面側を支持する支持部（図示せず）が設けられている。さらに、図２及び図４に示すように、ボトムケース１０の内面には、トップケース１２に向けて延びる、フック部３０（第１のフック部を構成する）及び一対のフック部３２が設けられている。これらフック部３０と一対のフック部３２との配置間隔は、配線基板２８の長手方向の長さＬ（図４参照）に対応した大きさに設定されている。フック部３０は、弾性復元力を有しているが、一対のフック部３２の各々は、弾性復元力を有していない。フック部３０は、ボトムケース１０の長手方向の中央部に配置されており、配線基板２８の先端部２８ｂを押圧している。一対のフック部３２は、ボトムケース１０の長手方向の一端部近傍に、間隔を置いて配置されており、配線基板２８の後端部２８ｃに引っ掛けられている。さらに、後述する図６Ａ及び図６Ｂに示すように、ボトムケース１０の内面には、配線基板２８の一端部２８ａに向けて突出する突部４０（後述する）が設けられている。
【００３９】
図３及び図４に示すように、トップケース１２の内面には、ボトムケース１０に向けて延びるフック部３４（第２のフック部を構成する）が設けられている。フック部３４は、トップケース１２の長手方向の一端部近傍に配置されており、配線基板２８の後端部２８ｃに引っ掛けられている。さらに、トップケース１２の内面には、ボトムケース１０のフック部３０が引っ掛けられる受け部３６が設けられている。
【００４０】
上述したボトムケース１０及びトップケース１２は、フック部３０が受け部３６に引っ掛けられ、且つ、フック部３４が配線基板２８の後端部２８ｃに引っ掛けられることにより、相互にロックされている。ボトムケース１０及びトップケース１２のロックを解除する手順については、後述する。
【００４１】
［コネクタカバーの機能］
ここで、図５〜図７Ｂを参照しながら、上述したコネクタカバー３８の機能について説明する。図５は、図１中のＢ−Ｂ線により切断した電子機器の要部断面図である。図６Ａは、プラグをＵＳＢコネクタに差し込む前の状態を示す電子機器の要部分解斜視図である。図６Ｂは、図６Ａの電子機器の一部を拡大して示す平面図である。図７Ａは、プラグをＵＳＢコネクタに差し込んだ後の状態を示す電子機器の要部分解斜視図である。図７Ｂは、図７Ａの電子機器の一部を拡大して示す平面図である。
【００４２】
図５に示すように、コネクタカバー３８は、配線基板２８の一端部２８ａに隣接するようにして、筐体８の内部に配置されている。コネクタカバー３８は、板バネ状に構成されている。図６Ａ及び図６Ｂに示すように、コネクタカバー３８に外力が加えられていない状態では、コネクタカバー３８は、ボトムケース１０の突部４０に引っ掛かっている。この状態では、ＵＳＢコネクタ１８は、上記特定の方向とは異なる方向（すなわち、図７Ｂ中の矢印Ｑで示す方向）に操作されるのが規制される。
【００４３】
図６Ａに示すように、ＵＳＢケーブル２４のプラグ２６には、治具３９が着脱可能に取り付けられている。この治具３９には、ＵＳＢコネクタ１８に向けて突出する突起３９ａが設けられている。図７Ａ及び図７Ｂに示すように、プラグ２６がＵＳＢコネクタ１８に差し込まれた際には、突起３９ａがコネクタカバー３８を配線基板２８側に押圧することにより、コネクタカバー３８がボトムケース１０の突部４０から外れる。この状態では、ＵＳＢコネクタ１８は、上記特定の方向とは異なる方向に操作可能となる。なお、この治具３９は、例えば電子機器２の製造工程において、メーカの作業者等が筐体８を分解する際に使用されるものである。
【００４４】
プラグ２６をＵＳＢコネクタ１８から引き抜いた際には、コネクタカバー３８は、弾性復元力によって元の位置に復帰する。これにより、図６Ａ及び図６Ｂに示すように、コネクタカバー３８は、ボトムケース１０の突部４０に再度引っ掛かる。
【００４５】
なお、プラグ２６に治具３９が取り付けられていない状態で、プラグ２６がＵＳＢコネクタ１８に差し込まれた際には、コネクタカバー３８は、ボトムケース１０の突部４０に引っ掛かった状態に保たれる。そのため、例えばユーザがプラグ２６をＵＳＢコネクタ１８に差し込んで使用する際には、ＵＳＢコネクタ１８は、上記特定の方向とは異なる方向に操作されるのが規制される。これにより、ユーザが勝手に筐体８を分解してしまうのを抑制することができる。
【００４６】
［配線基板のボトムケースへの組み付け手順］
次に、図８Ａ〜図８Ｄを参照しながら、配線基板２８をボトムケース１０に組み付ける手順について説明する。図８Ａ〜図８Ｄはそれぞれ、配線基板をボトムケースに組み付ける手順を説明するための断面図である。以下で説明する手順は、例えば、電子機器２の製造工程においてメーカの作業者等によって行われる手順である。
【００４７】
まず、図８Ａ及び図８Ｂに示すように、配線基板２８をボトムケース１０の内側に差し込み、その後端部２８ｃをボトムケース１０の一対のフック部３２の各々に引っ掛ける。その後、図８Ｃに示すように、作業者等の手でフック部３０を一対のフック部３２の各々から離れる方向に撓ませることにより、配線基板２８をフック部３０と一対のフック部３２の各々との間に組み込む。
【００４８】
その後、図８Ｄに示すように、フック部３０から手を放すことにより、フック部３０は、弾性復元力により元の位置に復帰し、配線基板２８の先端部２８ｂを押圧する。これにより、配線基板２８の裏面がボトムケース１０の支持部に支持され、且つ、配線基板２８の両端部がフック部３０と一対のフック部３２の各々との間に挟み込まれる。以上のようにして、配線基板２８がボトムケース１０に組み付けられる。
【００４９】
［ボトムケース及びトップケースのロック手順］
次に、図８Ｅ及び図８Ｆを参照しながら、ボトムケース１０及びトップケース１２を相互にロックする手順について説明する。図８Ｅ及び図８Ｆはそれぞれ、ボトムケース及びトップケースを相互にロックする手順を説明するための断面図である。
【００５０】
上述したように配線基板２８がボトムケース１０に組み付けられた後に、まず、治具３９が取り付けられたプラグ２６をＵＳＢコネクタ１８に差し込む。これにより、上述したように、ＵＳＢコネクタ１８は、上記特定の方向とは異なる方向に操作可能となる。
【００５１】
その後、図８Ｅに示すように、プラグ２６に外力を加えてＵＳＢコネクタ１８を上記特定の方向とは異なる方向（すなわち、図８Ｅ中の矢印Ｑで示す方向）に操作することにより、配線基板２８は、ＵＳＢコネクタ１８の操作に伴って上記特定の方向とは異なる方向にスライドされる。このとき、フック部３０は、配線基板２８の先端部２８ｂによって押圧されることにより、一対のフック部３２の各々から離れる方向に撓むようになる。さらに、配線基板２８の後端部２８ｃがボトムケース１０の長手方向の一端部から離れることにより、配線基板２８の後端部２８ｃとボトムケース１０の上記一端部との間には空間４２が形成される。
【００５２】
その後、図８Ｆに示すように、トップケース１２をボトムケース１０に取り付ける。このとき、フック部３４は、配線基板２８の後端部２８ｃとボトムケース１０の上記一端部との間の空間４２に挿入される。その後、プラグ２６から手を離すことにより、図４に示すように、フック部３０は、弾性復元力によって元の位置に復帰する。これにより、フック部３０は、トップケース１２の受け部３６に引っ掛かる。さらに、フック部３０が配線基板２８の先端部２８ｂを押圧することにより、配線基板２８がスライドして元に位置に復帰する。これにより、一対のフック部３２の各々が配線基板２８の後端部２８ｃに引っ掛かるとともに、フック部３４が配線基板２８の後端部２８ｃに引っ掛かる。以上のようにして、ボトムケース１０及びトップケース１２が相互にロックされる。
【００５３】
［ボトムケース及びトップケースのロック解除手順］
次に、図９Ａ及び図９Ｂを参照しながら、ボトムケース１０とトップケース１２とのロックを解除する手順について説明する。図９Ａ及び図９Ｂはそれぞれ、ボトムケースとトップケースとのロックを解除する手順を説明するための断面図である。
【００５４】
まず、治具３９が取り付けられたプラグ２６をＵＳＢコネクタ１８に差し込む。これにより、上述したように、ＵＳＢコネクタ１８は、上記特定の方向とは異なる方向に操作可能となる。
【００５５】
その後、図９Ａに示すように、プラグ２６に外力を加えてＵＳＢコネクタ１８を上記特定の方向とは異なる方向（すなわち、図９Ａ中の矢印Ｑで示す方向）に操作することにより、配線基板２８は、ＵＳＢコネクタ１８の操作に伴って上記特定の方向とは異なる方向にスライドされる。このとき、フック部３０は、配線基板２８の先端部２８ｂによって押圧されることにより、トップケース１２の受け部３６から外れる。さらに、配線基板２８の後端部２８ｃがボトムケース１０の上記一端部から離れることにより、フック部３４が配線基板２８の後端部２８ｃから外れる。このようにして、ボトムケース１０とトップケース１２とのロックが解除される。
【００５６】
その後、図９Ｂに示すように、トップケース１２の長手方向の一端部をボトムケース１０から持ち上げた状態で、ボトムケース１０をトップケース１２に対してスライドさせることにより、トップケース１２がボトムケース１０から取り外される。以上のようにして、筐体８を分解することができる。
【００５７】
［効果］
次に、本実施の形態の筐体構造６により得られる効果について説明する。上述したように、ＵＳＢコネクタ１８を上記特定の方向とは異なる方向に操作することにより、ボトムケース１０とトップケース１２とのロックが解除される。これにより、筐体８を容易に分解することができる。
【００５８】
さらに、ボトムケース１０とトップケース１２とのロックにネジ止めを使用しないので、ネジの頭部が筐体８の外観に露出されることがない。これにより、筐体８の外観を損ねることがない。
【００５９】
また、ＵＳＢコネクタ１８は、コネクタカバー３８によって、上記特定の方向とは異なる方向に操作されるのが規制されている。これにより、ユーザが勝手に筐体８を分解してしまうのを抑制することができる。
【００６０】
（実施の形態２）
次に、図１０〜図１３Ｂを参照しながら、実施の形態２に係る筐体構造について説明する。図１０は、実施の形態２に係る筐体構造を備えた電子機器を示す斜視図である。図１１Ａは、図１０の電源スイッチが第１の位置に位置している状態での、電子機器の側面の一部を示す図である。図１１Ｂは、図１０の電源スイッチが第１の位置に位置している状態での、電源スイッチと配線基板との位置関係を示す要部斜視図である。図１２Ａは、図１０の電源スイッチが第２の位置に位置している状態での、電子機器の側面の一部を示す図である。図１２Ｂは、図１０の電源スイッチが第２の位置に位置している状態での、電源スイッチと配線基板との位置関係を示す要部斜視図である。図１３Ａは、図１０の電源スイッチが第３の位置に位置している状態での、電子機器の側面の一部を示す図である。図１３Ｂは、図１０の電源スイッチが第３の位置に位置している状態での、電源スイッチと配線基板との位置関係を示す要部斜視図である。なお、以下の各実施の形態では、上記実施の形態１と同一の構成要素には同一の符号を付して、その説明を省略する。
【００６１】
図１０に示すように、本実施の形態の筐体構造６Ａでは、電源スイッチ２０Ａ（操作規制部材を構成する）は、第１の位置と第２の位置との間をスライド可能なスライドスイッチである。電源スイッチ２０Ａが第１の位置（図１１Ａ参照）に位置している際には、電子機器２Ａの主電源がオンされる。電源スイッチ２０Ａが第２の位置（図１２Ａ参照）に位置している際には、電子機器２Ａの主電源がオフされる。
【００６２】
上記実施の形態１では、コネクタカバー３８が操作規制部材としての機能を有していたが、本実施の形態では、電源スイッチ２０Ａが操作規制部材としての機能を有している。以下、電源スイッチ２０Ａの当該機能について説明する。
【００６３】
図１１Ｂ、図１２Ｂ及び図１３Ｂにそれぞれ示すように、電源スイッチ２０Ａの裏面には、配線基板２８側に突出する第１の突部４４及び第２の突部４６が設けられている。第１の突部４４及び第２の突部４６は、配線基板２８の厚みに対応した間隔を置いて配置されている。さらに、配線基板２８Ａの一端部２８ａには、電源スイッチ２０Ａに向けて突出するストッパ部４８が設けられている。
【００６４】
図１１Ａ及び図１１Ｂに示すように、電源スイッチ２０Ａが上記第１の位置に位置している際には、電源スイッチ２０Ａの第１の突部４４は、配線基板２８Ａのストッパ部４８に接触している。これにより、ＵＳＢコネクタ１８が上記特定の方向とは異なる方向（すなわち、図１０及び図１３Ｂ中の矢印Ｑで示す方向）に操作されるのが規制される。
【００６５】
図１２Ａ及び図１２Ｂに示すように、電源スイッチ２０Ａが上記第２の位置に位置している際には、電源スイッチ２０Ａの第２の突部４６は、配線基板２８Ａのストッパ部４８に接触している。これにより、ＵＳＢコネクタ１８が上記特定の方向とは異なる方向に操作されるのが規制される。
【００６６】
図１３Ａ及び図１３Ｂに示すように、電源スイッチ２０Ａが上記第１の位置と上記第２の位置との間の第３の位置に位置している際には、電源スイッチ２０Ａの第１の突部４４及び第２の突部４６の各々は、配線基板２８Ａのストッパ部４８から外れる。これにより、配線基板２８Ａのストッパ部４８は、第１の突部４４と第２の突部４６との間を通過できるようになるので、ＵＳＢコネクタ１８は、上記特定の方向とは異なる方向に操作可能となる。
【００６７】
（実施の形態３）
次に、図１４〜図１６Ｂを参照しながら、実施の形態３に係る筐体構造について説明する。図１４は、実施の形態３に係る筐体構造を備えた電子機器を示す斜視図である。図１５Ａは、図１４のボリュームスイッチが押圧されていない状態での、電子機器の内部を示す要部斜視図である。図１５Ｂは、図１５Ａ中のＣ−Ｃ線により切断した電子機器の要部断面図である。図１６Ａは、図１４のボリュームスイッチが押圧された状態での、電子機器の内部を示す要部斜視図である。図１６Ｂは、図１６Ａ中のＤ−Ｄ線により切断した電子機器の要部断面図である。
【００６８】
図１４に示すように、本実施の形態の電子機器２Ｂの筐体構造６Ｂでは、ボリュームスイッチ２２Ｂ（操作規制部材を構成する）は、押圧スイッチである。ボリュームスイッチ２２Ｂの第１の部位２２Ｂａを押圧することにより、スピーカ１６（図４参照）から出力される音のボリュームが大きくなるように調節される。一方、ボリュームスイッチ２２Ｂの第２の部位２２Ｂｂを押圧することにより、スピーカ１６から出力される音のボリュームが小さくなるように調節される。
【００６９】
上記実施の形態１では、コネクタカバー３８が操作規制部材としての機能を有していたが、本実施の形態では、ボリュームスイッチ２２Ｂが操作規制部材としての機能を有している。以下、ボリュームスイッチ２２Ｂの当該機能について説明する。
【００７０】
図１５Ａ〜図１６Ｂにそれぞれ示すように、ボリュームスイッチ２２Ｂの裏面には、配線基板２８側に突出するフック部５０が設けられている。さらに、配線基板２８Ｂの一端部２８ａとは反対側の端部２８ｄには、切り欠き部５２が設けられている。この切り欠き部５２は、フック部５０の大きさに対応した大きさを有している。
【００７１】
図１５Ａ及び図１５Ｂに示すように、ボリュームスイッチ２２Ｂの第１の部位２２Ｂａが押圧されていない際には、ボリュームスイッチ２２Ｂのフック部５０は、配線基板２８Ｂの切り欠き部５２に接触している。これにより、ＵＳＢコネクタ１８が上記特定の方向とは異なる方向（すなわち、図１６Ａ中の矢印Ｑで示す方向）に操作されるのが規制される。
【００７２】
図１６Ａ及び図１６Ｂに示すように、ボリュームスイッチ２２Ｂの第１の部位２２Ｂａが押圧された際には、ボリュームスイッチ２２Ｂのフック部５０は、配線基板２８Ｂの切り欠き部５２から外れる。これにより、ＵＳＢコネクタ１８は、上記特定の方向とは異なる方向に操作可能となる。
【００７３】
（実施の形態４）
次に、図１７〜図２０Ｃを参照しながら、実施の形態４に係る筐体構造について説明する。図１７は、実施の形態４に係る筐体構造を備えた電子機器を示す斜視図である。図１８は、図１７中のＥ−Ｅ線により切断した電子機器の断面図である。図１９は、図１７中のＦ−Ｆ線により切断した電子機器の要部断面図である。図２０Ａは、電源スイッチが第１の位置に位置している状態での、電子機器の内部を示す要部平面図である。図２０Ｂは、電源スイッチが第２の位置に位置している状態での、電子機器の内部を示す要部平面図である。図２０Ｃは、電源スイッチが第３の位置に位置している状態での、電子機器の内部を示す要部平面図である。なお、図１８では、説明の都合上、配線基板２８Ｃの図示を省略してある。
【００７４】
上記実施の形態１では、ＵＳＢコネクタ１８が操作部材としての機能を有していたが、本実施の形態の筐体構造６Ｃでは、電源スイッチ２０Ｃが操作部材としての機能を有している。すなわち、電源スイッチ２０Ｃは、ユーザによって特定の方向（すなわち、図１７及び図１９中の矢印Ｘで示す方向）に操作される。電源スイッチ２０Ｃは、上記特定の方向に第１の位置と第２の位置との間をスライド可能なスライドスイッチである。電源スイッチ２０Ｃが第１の位置（図２０Ａ参照）に位置している際には、電子機器２Ｃの主電源がオンされる。電源スイッチ２０Ｃが第２の位置（図２０Ｂ参照）に位置している際には、電子機器２Ｃの主電源がオフされる。なお、電源スイッチ２０Ｃは、後述するように、上記特定の方向とは異なる方向（すなわち、図１７及び図１９中の矢印Ｙで示す方向）にも操作可能である。
【００７５】
図１８及び図１９に示すように、電源スイッチ２０Ｃの裏面には、上記特定の方向とは異なる方向に沿って延びる押圧部５４が設けられている。押圧部５４の先端部は、斜めにカットされている。さらに、図２０Ａ〜図２０Ｃにそれぞれ示すように、電源スイッチ２０Ｃの裏面には、配線基板２８Ｃ側に突出する第１の突部５６及び第２の突部５８が設けられている。第１の突部５６及び第２の突部５８は、間隔を置いて配置されている。さらに、配線基板２８Ｃの一端部２８ａには、電源スイッチ２０Ｃに向けて突出するストッパ部６０が設けられている。
【００７６】
図１８及び図１９に示すように、筐体８Ｃのトップケース１２Ｃ（第１の筐体部を構成する）には、フック部６２（第１のフック部を構成する）が設けられている。フック部６２には、押圧部５４の先端部の傾斜に対応する傾斜を有する傾斜部６４が設けられている。
【００７７】
図１９に示すように、筐体８Ｃのボトムケース１０Ｃ（第２の筐体部を構成する）には、凹部６６が設けられている。この凹部６６にフック部６２の先端部が引っ掛かることにより、ボトムケース１０Ｃ及びトップケース１２Ｃが相互にロックされている。
【００７８】
次に、ボトムケース１０Ｃとトップケース１２Ｃとのロックを解除する手順について説明する。
【００７９】
図２０Ａに示すように、電源スイッチ２０Ｃが上記第１の位置に位置している際には、電源スイッチ２０Ｃの第１の突部５６は、配線基板２８Ｃのストッパ部６０に接触している。これにより、電源スイッチ２０Ｃが上記特定の方向とは異なる方向に操作されるのが規制される。
【００８０】
図２０Ｂに示すように、電源スイッチ２０Ｃが上記第２の位置に位置している際には、電源スイッチ２０Ｃの第２の突部５８は、配線基板２８Ｃのストッパ部６０に接触している。これにより、電源スイッチ２０Ｃが上記特定の方向とは異なる方向に操作されるのが規制される。
【００８１】
図２０Ｃに示すように、電源スイッチ２０Ｃが上記第１の位置と上記第２の位置との間の第３の位置に位置している際には、電源スイッチ２０Ｃの第１の突部５６及び第２の突部５８の各々は、配線基板２８Ｃのストッパ部６０から外れる。これにより、配線基板２８Ｃのストッパ部６０は、第１の突部５６と第２の突部５８との間を通過できるようになるので、電源スイッチ２０Ｃは、上記特定の方向とは異なる方向に操作可能となる。
【００８２】
電源スイッチ２０Ｃが上記特定の方向とは異なる方向に操作された際に、電源スイッチ２０Ｃの押圧部５４の先端部は、トップケース１２Ｃのフック部６２の傾斜部６４を押圧する。これにより、フック部６２が図１９中の矢印Ｚで示す方向に撓み、フック部６２の先端部は、ボトムケース１０Ｃの凹部６６から外れる。このようにして、ボトムケース１０Ｃとトップケース１２Ｃとのロックが解除される。
【００８３】
以上、本発明の実施の形態１〜４に係る筐体構造について説明したが、本発明は、これらの実施の形態に限定されるものではない。例えば、上記各実施の形態をそれぞれ組み合わせるとしてもよい。
【００８４】
上記実施の形態１〜４では、電子機器がイヤホン装置である場合について説明したが、これに限定されず、電子機器は、例えばスマートフォン及びハブ等の種々の機器で構成することができる。
【００８５】
上記実施の形態１〜３では、操作部材をＵＳＢコネクタで構成し、上記実施の形態４では、操作部材を電源スイッチで構成したが、これに限定されず、例えば操作部材をピンジャック等で構成してもよい。この場合、ピンジャックの操作とは、ユーザによってピンプラグがピンジャックに特定の方向に差し込まれる操作をいう。また、特定の方向とは、ピンプラグがピンジャックに差し込まれる方向である。
【産業上の利用可能性】
【００８６】
本発明は、分解可能な筐体を有する筐体構造として適用することができる。
【符号の説明】
【００８７】
２，２Ａ，２Ｂ，２Ｃ  電子機器
４  集音マイク
６，６Ａ，６Ｃ，６Ｃ  筐体構造
８，８Ｃ  筐体
１０，１０Ｃ  ボトムケース
１２，１２Ｃ  トップケース
１４  イヤーピース
１６  スピーカ
１８  ＵＳＢコネクタ
２０，２０Ａ，２０Ｃ  電源スイッチ
２２，２２Ｂ  ボリュームスイッチ
２２Ｂａ  第１の部位
２２Ｂｂ  第２の部位
２４  ＵＳＢケーブル
２６  プラグ
２８，２８Ａ，２８Ｂ，２８Ｃ  配線基板
２８ａ  一端部
２８ｂ  先端部
２８ｃ  後端部
２８ｄ  端部
３０，３２，３４，５０，６２  フック部
３６  受け部
３８  コネクタカバー
３９  治具
３９ａ  突起
４０  突部
４２  空間
４４，５６  第１の突部
４６，５８  第２の突部
４８，６０  ストッパ部
５２  切り欠き部
５４  押圧部
６４  傾斜部
６６  凹部
【図１】
2014203969.tif 000003
【図２】
2014203969.tif 000004
【図３】
2014203969.tif 000005
【図４】
2014203969.tif 000006
【図５】
2014203969.tif 000007
【図６Ａ】
2014203969.tif 000008
【図６Ｂ】
2014203969.tif 000009
【図７Ａ】
2014203969.tif 000010
【図７Ｂ】
2014203969.tif 000011
【図８Ａ】
2014203969.tif 000012
【図８Ｂ】
2014203969.tif 000013
【図８Ｃ】
2014203969.tif 000014
【図８Ｄ】
2014203969.tif 000015
【図８Ｅ】
2014203969.tif 000016
【図８Ｆ】
2014203969.tif 000017
【図９Ａ】
2014203969.tif 000018
【図９Ｂ】
2014203969.tif 000019
【図１０】
2014203969.tif 000020
【図１１Ａ】
2014203969.tif 000021
【図１１Ｂ】
2014203969.tif 000022
【図１２Ａ】
2014203969.tif 000023
【図１２Ｂ】
2014203969.tif 000024
【図１３Ａ】
2014203969.tif 000025
【図１３Ｂ】
2014203969.tif 000026
【図１４】
2014203969.tif 000027
【図１５Ａ】
2014203969.tif 000028
【図１５Ｂ】
2014203969.tif 000029
【図１６Ａ】
2014203969.tif 000030
【図１６Ｂ】
2014203969.tif 000031
【図１７】
2014203969.tif 000032
【図１８】
2014203969.tif 000033
【図１９】
2014203969.tif 000034
【図２０Ａ】
2014203969.tif 000035
【図２０Ｂ】
2014203969.tif 000036
【図２０Ｃ】
2014203969.tif 000037